(57)【要約】【課題】上下位置の調整して本固定するときに傾き等を調整して正しく取り付けることができ、また上下調整するときに位置調整が容易にできると共に位置調整した位置で保持できて本固定がしやすい軒樋支持具を提供する。【解決手段】軒樋を支持する軒樋支持具本体１の基部側の端部に屋根の軒先の鼻板等の被取り付け部２に当接して取り付けるための取り付け板３を設けると共に取り付け板３をビス、釘等の固着具５の打入で被取り付け部２に取り付けるための取り付け穴４を設ける。被取り付け部２に打入した仮止め用のビス、釘等の固着具６の軸部を挿通し得るスリット７を取り付け板３の左右方向の巾の中央の位置で上下方向に設けると共にこのスリット７をバネ性のある両側の遊離片８間に形成する。【選択図】        図１
2006207197.tif 000002
【特許請求の範囲】
【請求項１】
軒樋を支持する軒樋支持具本体の基部側の端部に屋根の軒先の鼻板等の被取り付け部に当接して取り付けるための取り付け板を設けると共に取り付け板をビス、釘等の固着具の打入で被取り付け部に取り付けるための取り付け穴を設け、被取り付け部に打入した仮止め用のビス、釘等の固着具の軸部を挿通し得るスリットを取り付け板の左右方向の巾の中央の位置で上下方向に設けると共にこのスリットをバネ性のある両側の遊離片間に形成したことを特徴とする軒樋支持具。
【請求項２】
取り付け板の裏面に凹所を形成し、凹所の左右両側からバネ性のある薄肉の遊離片を突設すると共にこの遊離片間にスリットを形成し、上記凹所の底部と遊離片との間に仮止め用の固着具の頭部の高さと同じ深さの空洞を設けると共に遊離片と取り付け板の裏面との間に取り付け板の裏面より遊離片が凹所の底部側に位置するように凹段部を設けたことを特徴とする請求項１記載の軒樋支持具。
【請求項３】
スリットの下端に仮止め用の固着具の頭部を挿通するための頭部より径の大きな挿通穴を設けたことを特徴とする請求項１または請求項２記載の軒樋支持具。
【発明の詳細な説明】
【技術分野】
【０００１】
本発明は、軒樋を軒先に沿って架設するときに軒樋を吊り支持したり受け支持したりする軒樋吊り具の構造に関するものである。
【背景技術】
【０００２】
従来から、この種の軒樋支持具Ａ′は、図５に示すように軒樋を吊り支持する軒樋支持具本体１′の基部に軒先の鼻板２′に取り付けるための取り付け板３′を取着し、取り付け板３′の左右両側に上下に長い長孔からなる取り付け穴４ａ′と丸穴からなる取り付け穴４ｂ′とを穿孔してある（例えば、特許文献１参照）。この軒樋支持具Ａ′は先ず、取り付け板３′を鼻板２′に当接し、取り付け穴４ａ′から釘、ビス等の固着具５′を打入して仮固定される。このようにして複数個の軒樋支持具Ａ′が軒の長手方向に間隔を隔てて仮固定され、軒先に張った水糸に合わせて軒樋が所定の水勾配になるように軒樋支持具Ａ′の上下位置が調整される。このとき本固定しない固着具５′に対して長孔状の取り付け穴４ａ′をスライドさせて軒樋支持具Ａ′の高さが調整される。軒樋支持具Ａ′の高さを調整した状態で取り付け穴４ａ′の固着具５′を締結して本固定されると共に取り付け穴４ｂ′から固着具５′を打入して本固定される。
【特許文献１】特開平８−１２０８５７号公報
【発明の開示】
【発明が解決しようとする課題】
【０００３】
ところが、上記従来例では取り付け板３′の両側にそれぞれ設けた長孔状の取り付け穴４ａ′に固着具５′を打入して固定するとき固着具５′を完全に打入しない仮止め状態にすることにより上下位置を調整するようになっているが、両側の取り付け穴４ａ′に固着具５′を打入して仮固定しているために仮固定するとき２つの固着具５′の打入位置がずれて取り付け板３′が傾いて仮固定されるおそれがあり、取り付け板３′の位置を上下調整した後に本固定するときその傾きを修正することができず、正しく取り付けられないおそれがある。また取り付け穴４ａ′に打入する固着具５′を完全に打入しない状態で仮止めするようになっているが、固着具５′の打入が強すぎると上下移動できなく，固着具５′の打入が弱いと上下位置調整したときにその位置で保持できなくて上下位置調整がしにくいと共に本固定の作業がしにくいという問題がある。
【０００４】
本発明は上記の従来の問題点に鑑みて発明したものであって、上下位置を調整して本固定するときに傾き等を調整して正しく取り付けることができ、また上下調整するときに位置調整が容易にできると共に位置調整した位置で保持できて本固定がしやすい軒樋支持具を提供することを課題とするものである。
【課題を解決するための手段】
【０００５】
上記課題を解決するために本発明の請求項１の軒樋支持具Ａは、軒樋を支持する軒樋支持具本体１の基部側の端部に屋根の軒先の鼻板等の被取り付け部２に当接して取り付けるための取り付け板３を設けると共に取り付け板３をビス、釘等の固着具５の打入で被取り付け部２に取り付けるための取り付け穴４を設け、被取り付け部２に打入した仮止め用のビス、釘等の固着具６の軸部を挿通し得るスリット７を取り付け板３の左右方向の巾の中央の位置で上下方向に設けると共にこのスリット７をバネ性のある両側の遊離片８間に形成したことを特徴とする。
【０００６】
上記構成によれば、被取り付け部２に仮止め用の固着具６を打入した状態で取り付け板３のスリット７に固着具６の軸部を挿通することで両側の遊離片８間に固着具６の軸部を弾性的に挟持して軒樋支持具Ａを仮保持できる。そして固着具６に対してスリット７を上下させて軒樋支持具Ａの上下位置を調整した後に取り付け穴４からビス、釘等の固着具５を被取り付け部２に打入して取り付け板３を被取り付け部２に取り付ける。このとき取り付け板３の左右方向の一つのスリット７を一つの固着具６に対して移動させて上下位置調整することができるために上下位置を調整したとき固着具６の回りに取り付け板３を回動させたりして傾き等を調整して取り付け板３を正規の状態に向けて取り付け穴４から固着具５を打入して本固定できて軒樋支持具Ａを正確に取り付けることができる。また固着具６にスリット７を挿通した状態で両側の遊離片８間に固着具６が弾性的に挟持されることにより仮保持されるため、固着具６の打入強さ等によらず、軒樋支持具Ａの上下位置調整が容易にできると共に軒樋支持具Ａの上下位置を調整した位置で仮保持できて本固定が容易にできる。
【０００７】
また本発明の請求項２の軒樋支持具Ａは、請求項１において、取り付け板３の裏面に凹所１０を形成し、凹所１０の左右両側からバネ性のある薄肉の遊離片８を突設すると共にこの遊離片８間にスリット７を形成し、上記凹所１０の底部と遊離片８との間に仮止め用の固着具６の頭部の高さと同じ深さの空洞１１を設けると共に遊離片８と取り付け板３の裏面との間に取り付け板３の裏面より遊離片８が凹所１０の底部側に位置するように凹段部１２を設けたことを特徴とする。
【０００８】
上記構成によれば、取り付け板３の裏面側に両側の遊離片８にてスリット７を設けることができ、仮り止めの手段が取り付け板３の表面側に露出せず、外観よくできる。また取り付け板３の裏面側に遊離片８を設けてスリット７を形成するものでも、固着具６の頭部を空洞１１に納めることができると共に空洞１１と凹段部１２とにより遊離片８を弾性変形させることができて固着具６に仮止めできると共に容易に位置調整して所定位置に本固定できる。
【０００９】
また本発明の請求項３の軒樋支持具Ａは、請求項１または請求項２において、スリット７の下端に仮止め用の固着具６の頭部を挿通するための頭部より径の大きな挿通穴１３を設けたことを特徴とする。
【００１０】
上記構成によれば、先に被取り付け部２に固着具６を打入して取り付けておいても、軒樋支持具Ａを仮止めするとき挿通穴１３を固着具６の頭部に挿通し、スリット７を固着具６の軸部に挿通して軒樋支持具Ａを仮支持でき、仮止め用の固着具６の打入と軒樋支持具Ａの仮止めとを分けて行うことができて施工性を向上できる。
【発明の効果】
【００１１】
本発明は叙述の如く構成されているので、被取り付け部に仮止め用の固着具を打入した状態で取り付け板のスリットに固着具の軸部を挿通することで両側の遊離片間に固着具の軸部を弾性的に挟持して軒樋支持具を仮保持でき、そして固着具に対してスリットを上下させて軒樋支持具の上下位置を調整した後に取り付け穴からビス、釘等の固着具を被取り付け部に打入して取り付け板を被取り付け部に取り付けることができるものであって、仮止めしたとき取り付け板の左右方向の一つのスリットを一つの固着具に対して移動させて上下位置調整することができるための上下位置を調整したとき固着具の回りに取り付け板を回動させたりして傾き等を調整して取り付け板を正規の状態に向けて取り付け穴から固着具を打入して本固定できて軒樋支持具を正確に取り付けることができるという効果があり、また固着具にスリットに挿通した状態で両側の遊離片間に固着具が弾性的に挟持されることにより仮保持されるため、固着具の打入強さ等によらず、軒樋支持具の上下位置調整が容易にできると共に軒樋支持具の上下位置を調整した位置で仮保持できて本固定が容易にできるという効果がある。
【発明を実施するための最良の形態】
【００１２】
以下、本発明を添付図面に示す実施形態に基いて説明する。
【００１３】
軒樋支持具Ａは軒樋支持具本体１と軒樋支持具本体１の基部に設けた取り付け板３とで主体が構成され、図１、図２に示すように合成樹脂にて一体に形成されている。本例の軒樋支持具Ａは軒樋を吊り支持するものであって、軒樋支持具本体１には軒樋の前の耳部に係止する前耳係止部１５や、軒樋の後の耳部に係止する後耳係止部１６や、軒樋の浮き上がりを防止する浮き上がり防止片１７等を設けてある。取り付け板３は矩形板状に形成されており、取り付け板３の左右の巾方向の中央に軒樋支持具本体１の基部を一体に連結してある。
【００１４】
矩形状の取り付け板３の左右両側にはビス、釘等の固着具５を打入して固定する取り付けるための取り付け穴４を穿孔してある。かかる取り付け穴４には小径の取り付け穴４ａと大径の取り付け穴４ｂとがある。取り付け板３の裏面側には矩形状の凹所１０を凹設してある。この凹所１０は取り付け板３の表面側には貫通しない深さの浅いものである。この凹所１０の左右の両側から中央付近まで至るように薄肉の遊離片８を突設してあり、薄肉の遊離片８間にスリット７を形成してある。スリット７は取り付け板３の左右方向の中央に位置するように設けてあり、スリット７の巾は仮止め用のビス、釘等の固着具６の軸部の径よりやや小さいくしてある。また上記遊離片８はバネ性があって弾性変形し得るようになっている。また凹所１０の底面と遊離片８との間には仮止め用の固着具６の頭部の高さと略同じ深さの空洞１１を設けてあり、また遊離片８は取り付け板３の裏面より表面側に位置するように凹段部１２を設けてある。スリット７の下端には固着具６の頭部の径より大きい挿通穴１３を設けてある。
【００１５】
軒先に軒樋を架設するために軒樋支持具Ａを取り付ける場合次のように施工される。軒樋支持具Ａを取り付ける前に図３（ａ）のように仮止め用のビス、釘等の固着具６が建物の軒先の鼻板等の被取り付け部２に打入される。そして軒樋支持具Ａの取り付け板３の裏面が被取り付け部２に沿わせられ、固着具６の頭部に挿通穴１３が挿通されて固着具６の軸部がスリット７に挿通されて図３（ｂ）に示すように軒樋支持具Ａが仮止めされる。このように軒樋支持具Ａを仮止めした状態で軒先に張った水糸を基準にレベル出しが行われ、固着具６に対してスリット７を上下させて図３（ｃ）のように軒樋支持具Ａの上下位置が調整される。このように軒樋支持具Ａの上下位置を調整した後にその状態を保持した状態で本固定用のビス、釘等の固着具５を取り付け板３の取り付け穴４から被取り付け部２に打入して図３（ｄ）のように軒樋支持具Ａを本固定する。
【００１６】
上記のように軒樋支持具Ａが取り付け施工されるが、先に被取り付け部２に仮止め用の固着具６を打入して取り付け後に軒樋支持具Ａを仮止めできて施工が容易になって施工性を向上できる。また取り付け板３の裏面側に設けた遊離片８間のスリット７を固着具６の軸部に挿通して仮保持するために仮止め手段が外観上見えなくて外観よく施工できる。またバネ性のある遊離片８間のスリット７を図４（ａ）（ｂ）のように固着具６の軸部に挿通することで固着具６の軸部を弾性的に保持して仮保持できるためにスリット７を固着具６に対して円滑にスライドさせることができ、軒樋支持具Ａを容易に上下させて位置調整できる。また固着具６の軸部を遊離片８で弾性的に挟持しているために軒樋支持具Ａの上下位置を調整したときその位置で軒樋支持具Ａを止めることができ、ビス、釘等の固着具５を取り付け板３の取り付け穴４から打入して本固定するときの施工が容易にできる。さらに仮止め用の固着具６の軸部を遊離片８間に弾性的に挟持するために固着具６の径が異なっても仮止めすることができる。このとき取り付け板３の裏面側に遊離片８があっても空洞１１と凹段部１２があるため遊離片８を図４（ａ）の矢印のように自在に変形できて遊離片８間に固着具６を確実に挟持できる。また取り付け板３の巾方向の中央に設けた一つのスリット７を仮止め用の固着具６の軸部に挿通して軒樋支持具Ａを仮止めすることができるために取り付け板３の取り付け穴４から固着具５を打入して本固定するとき、傾き等調整できて正規の状態に調整して取り付け板３を本固定できる。また仮止め用の固着具６の軸部を遊離片８間に弾性的に挟持しているために取り付け板３の取り付け穴４から固着具５を打入して本固定するとき、遊離片８を弾性変形させて位置を微調整することができ、仮止めの位置がずれていても取り付け板３の位置を正規の位置に修正して軒樋支持具Ａを正規の位置に正確に取り付けることができる。
【図面の簡単な説明】
【００１７】
【図１】本発明の実施の形態の一例の軒樋支持具を示し、（ａ）は正面図、（ｂ）は軒樋支持具の取り付け板の背面図である。
【図２】（ａ）は図１（ｂ）のＸ−Ｘ線断面図、（ｂ）は図２（ａ）のＹ−Ｙ線断面図である。
【図３】（ａ）（ｂ）（ｃ）（ｄ）は軒樋支持具を取り付ける工程を説明する説明図である。
【図４】同上の取り付け板のスリットを仮止め用の固着具に仮止めした状態を示し、（ａ）は横断面図、（ｂ）は背面図である。
【図５】従来例を示し、（ａ）は軒樋支持具の正面図、（ｂ）は軒樋支持具の取り付け板を鼻板の取り付ける状態の斜視図である。
【符号の説明】
【００１８】
Ａ  軒樋支持具  
１  軒樋支持具本体
２  被取り付け部
３  取り付け板
４  取り付け穴
５  固着具
６  固着具
７  スリット
８  遊離片
１０  凹所
１１  空洞
１２  凹段部
１３  挿通穴  
【図１】
2006207197.tif 000003
【図２】
2006207197.tif 000004
【図３】
2006207197.tif 000005
【図４】
2006207197.tif 000006
【図５】
2006207197.tif 000007